(57)【要約】【課題】集光機能を有し、製造コストを低減することができるＳＰＦＳ装置用の分析チップを提供すること。【解決手段】本発明の分析チップは、一方の面に励起光が照射されることにより電場を増強するための金属膜と、前記金属膜の他方の面上に配置され、増強された電場により蛍光物質を励起して蛍光を放出させるための反応部と、前記金属膜の他方の面上に配置され、前記金属膜と共に流路を形成し、蛍光物質から放出された蛍光を透過可能な材料で形成された基体と、を有する。前記反応部は、前記流路内に配置されている。また、前記基体の前記金属膜に対向する面の反対側の面には、前記反応部から放出されて前記基体を透過した蛍光の一部を反射させる反射板が、前記反応部の中心を通り、かつ前記金属膜に対して垂直な直線の周囲に、前記金属膜に対して垂直方向に突出して配置されている。【選択図】図２
2015045567.tif 000002
【特許請求の範囲】
【請求項１】
表面プラズモン励起増強蛍光分析装置に用いられる分析チップであって、
一方の面に励起光が照射されることにより電場を増強するための金属膜と、
前記金属膜の他方の面上に配置され、増強された電場により蛍光物質を励起して蛍光を放出させるための反応部と、
前記金属膜の他方の面上に配置され、前記金属膜と共に流路を形成し、蛍光物質から放出された蛍光を透過可能な材料で形成された基体と、を有し、
前記反応部は、前記流路内に配置されており、
前記基体の前記金属膜に対向する面の反対側の面には、前記反応部から放出されて前記基体を透過した蛍光の一部を反射させる反射板が、前記反応部の中心を通り、かつ前記金属膜に対して垂直な直線の周囲に、前記金属膜に対して垂直方向に突出して配置されている、
分析チップ。
【請求項２】
前記反射板の前記反応部の中心を通り、かつ前記金属膜に対して垂直な直線側の内面および前記内面の反対側の外面の表面粗さＲａは、０．１〜５００ｎｍの範囲内である、請求項１に記載の分析チップ。
【請求項３】
前記内面は、凹面である、請求項１または請求項２に記載の分析チップ。
【請求項４】
前記内面は、前記金属膜から離れるに従って前記反応部の中心を通り、かつ前記金属膜に対して垂直な直線から離れるように、前記直線に対し傾斜しており、
前記直線を含む断面における前記直線と前記内面とのなす角度は、０．５〜１０°の範囲内である、
請求項１〜３のいずれか一項に記載の分析チップ。
【請求項５】
前記反射板を構成する材料の屈折率は、１．４〜１．８の範囲内である、請求項１〜４のいずれか一項に記載の分析チップ。
【請求項６】
前記外面上には、反射膜が配置されている、請求項１〜５のいずれか一項に記載の分析チップ。
【請求項７】
前記基体の前記反射板が配置されている面からの前記反射板の高さＴと、前記基体の前記金属膜に対向する面から前記反射板が配置されている面までの厚みｄとの関係は、ｄ≦Ｔ≦１０ｄを満たす、請求項１〜６のいずれか一項に記載の分析チップ。
【請求項８】
前記基体の前記金属膜に対向する面から前記反射板が配置されている面までの厚みは、０．１〜１０．０ｍｍの範囲内である、請求項１〜７のいずれか一項に記載の分析チップ。
【請求項９】
前記反射板の厚みは、０．１〜５．０ｍｍの範囲内である、請求項１〜８のいずれか一項に記載の分析チップ。
【発明の詳細な説明】
【技術分野】
【０００１】
本発明は、表面プラズモン励起増強蛍光法を利用して検体に含まれる被検出物質の検出を行う表面プラズモン励起増強蛍光分析装置に用いられる分析チップに関する。
【背景技術】
【０００２】
臨床検査などにおいて、タンパク質やＤＮＡなどの微量の被検出物質を高感度かつ定量的に検出することができれば、患者の状態を迅速に把握して治療を行うことが可能となる。このため、微量の被検出物質を高感度かつ定量的に検出できる分析装置が求められている。
【０００３】
被検出物質を高感度に検出できる装置として、表面プラズモン励起増強蛍光分光法（Surface Plasmon-field enhanced Fluorescence Spectroscopy）を利用する表面プラズモン励起増強蛍光分析装置（以下「ＳＰＦＳ装置」ともいう）が知られている。
【０００４】
ＳＰＦＳ装置では、プリズムなどからなる誘電体と、誘導体上に形成された金属膜と、金属膜上に形成された反応部（例えば被検物質を捕捉する抗体などの捕捉体、すなわちリガンドを含む層）とを有する分析チップを使用する。例えば、金属膜上に被検出物質を含む検体を提供して、被検出物質を反応部で捕捉させ（１次反応）、捕捉された被検出物質をさらに蛍光物質で標識させる（２次反応）。この状態で、金属膜で全反射するように誘電体を介して金属膜に励起光を照射すると、エバネッセント波および金属膜からの表面プラズモンの共鳴によって増強された電場が発生し、それによって、被検出物質を標識する蛍光物質が効率よく励起される。したがって、金属膜上に被検出物質が存在する場合は、蛍光物質から放出された蛍光が光センサーで検出される。このように、ＳＰＦＳ装置は、蛍光を検出して、被検出物質の存在またはその量を検出する。
【０００５】
通常、ＳＰＦＳ装置では、蛍光の検出感度を向上させるために、分析チップと光センサーとの間に集光レンズが配置される。しかしながら、集光レンズは高価であるため、集光レンズを使用すると、ＳＰＦＳ装置の製造コストが増大してしまう。また、集光レンズを使用すると、蛍光検出時の焦点位置の調整が煩雑になるという問題もある。さらに、集光効率を向上させる観点からは集光レンズを分析チップにできるだけ近接させることが好ましいが、集光レンズと分析チップを接触させることはできないため、集光効率を十分に向上させることができないおそれもある。
【０００６】
このような問題点を解消できるＳＰＦＳ装置用の分析チップとして、集光機能を有する分析チップが提案されている（特許文献１参照）。特許文献１に記載の分析チップでは、反応部の上に配置された基体の上面（光センサー側の面）に、蛍光を反射させるための溝が形成されている。この分析チップは、集光機能を有しており、反応部から放出された蛍光の一部を光センサーに向けて溝の内面で反射させることができる。したがって、特許文献１に記載の分析チップを使用することで、集光レンズを有しないＳＰＦＳ装置であっても効率よく蛍光を検出することができる。
【先行技術文献】
【特許文献】
【０００７】
【特許文献１】特開２０１１−１８５６９８号公報
【発明の概要】
【発明が解決しようとする課題】
【０００８】
しかしながら、特許文献１に記載の分析チップには、製造コストが大きいという問題がある。すなわち、特許文献１に記載の分析チップでは、蛍光を反射させるための溝を形成するために基体の厚みを厚くする必要がある（例えば数ｍｍ程度）。基体の厚みを厚くすると、基体の製造に必要な材料（樹脂）の量が多くなる。また、基体の厚みを厚くすると、溶融樹脂が固化するまでの時間が長くなるとともに、溶融樹脂が固化する時に生じるヒケ量の制御が困難になる。これらの理由により、特許文献１に記載の分析チップでは、製造コストが増大してしまう。
【０００９】
また、特許文献１に記載の分析チップでは、反射面が溝の内面のみであり、内面で反射できずに透過した光が散乱してしまうため、検出光の強度をより高めるという目的に照らし合わせてみても、集光機能として未だ効率的とはいえない場合があった。
【００１０】
本発明は、かかる点に鑑みてなされたものであり、ＳＰＦＳ装置用の分析チップであって、集光機能を有し、かつ製造コストを低減することができる分析チップを提供することを目的とする。
【課題を解決するための手段】
【００１１】
本発明者らは、分析チップの基体の厚みを薄くするとともに、基体の上面に蛍光を反射させるための反射板を配置することで、上記課題を解決できることを見出し、さらに検討を加えて本発明を完成させた。
【００１２】
すなわち、本発明は、以下の分析チップに関する。
【００１３】
［１］表面プラズモン励起増強蛍光分析装置に用いられる分析チップであって、一方の面に励起光が照射されることにより電場を増強するための金属膜と、前記金属膜の他方の面上に配置され、増強された電場により蛍光物質を励起して蛍光を放出させるための反応部と、前記金属膜の他方の面上に配置され、前記金属膜と共に流路を形成し、蛍光物質から放出された蛍光を透過可能な材料で形成された基体と、を有し、前記反応部は、前記流路内に配置されており、前記基体の前記金属膜に対向する面の反対側の面には、前記反応部から放出されて前記基体を透過した蛍光の一部を反射させる反射板が、前記反応部の中心を通り、かつ前記金属膜に対して垂直な直線の周囲に、前記金属膜に対して垂直方向に突出して配置されている、分析チップ。
［２］前記反射板の前記反応部の中心を通り、かつ前記金属膜に対して垂直な直線側の内面および前記内面の反対側の外面の表面粗さＲａは、０．１〜５００ｎｍの範囲内である、［１］に記載の分析チップ。
［３］前記内面は、凹面である、［１］または［２］に記載の分析チップ。
［４］前記内面は、前記金属膜から離れるに従って前記反応部の中心を通り、かつ前記金属膜に対して垂直な直線から離れるように、前記直線に対し傾斜しており、前記直線を含む断面における前記直線と前記内面とのなす角度は、０．５〜１０°の範囲内である、［１］〜［３］のいずれか一項に記載の分析チップ。
［５］前記反射板を構成する前記材料の屈折率は、１．４〜１．８の範囲内である、［１］〜［４］のいずれか一項に記載の分析チップ。
［６］前記外面上には、反射膜が配置されている、［１］〜［５］のいずれか一項に記載の分析チップ。
［７］前記基体の前記反射板が配置されている面からの前記反射板の高さＴと、前記基体の前記金属膜に対向する面から前記反射板が配置されている面までの厚みｄとの関係は、ｄ≦Ｔ≦１０ｄを満たす、［１］〜［６］のいずれか一項に記載の分析チップ。
［８］前記基体の前記金属膜に対向する面から前記反射板が配置されている面までの厚みは、０．１〜１０．０ｍｍの範囲内である、［１］〜［７］のいずれか一項に記載の分析チップ。
［９］前記反射板の厚みは、０．１〜５．０ｍｍの範囲内である、［１］〜［８］のいずれか一項に記載の分析チップ。
【発明の効果】
【００１４】
本発明によれば、集光機能を有し、かつ製造コストを低減することができる、ＳＰＦＳ装置用の分析チップを提供することができる。
【図面の簡単な説明】
【００１５】
【図１】ＳＰＦＳ装置および本発明の一実施の形態に係る分析チップの構成を示す模式図である。
【図２】図２Ａ，Ｂは、本発明の一実施の形態に係る分析チップの構成を示す図である。
【図３】本発明の一実施の形態に係る分析チップの短軸方向の断面における蛍光の光路図である。
【図４】図４Ａ〜Ｄは、分析チップの反射板の他の構成を示す図である。
【発明を実施するための形態】
【００１６】
以下、本発明の実施の形態について、図面を参照して詳細に説明する。
【００１７】
本発明に係る分析チップは、金属膜を有し、ＳＰＦＳ装置に装着された状態で使用される。ＳＰＦＳ装置に装着された分析チップの金属膜上に、例えば、被検出物質を含む検体を提供すると、被検出物質が金属膜上に捕捉され、その後被検出物質を標識化する蛍光物質を提供すると、捕捉された被検出物質は蛍光物質で標識される。あるいは、被検出物質を含む検体に予め被検出物質を標識化するための蛍光物質を提供し、蛍光物質で標識化された被検出物質を含む検体を金属膜上に提供すると、蛍光物質で標識化された被検出物質が金属膜上に捕捉される。この状態で、金属膜で全反射するように反対側から金属膜に励起光を照射すると、エバネッセント波と表面プラズモンとの共鳴により、増強された電場が発生する。この電場によって、被検出物質を標識した蛍光物質が励起される。したがって、金属膜上に被検出物質が存在する場合は、蛍光物質から放出された蛍光が観察される。ＳＰＦＳ装置は、蛍光を検出して、被検出物質の存在またはその量を検出する。
【００１８】
上述したように、分析チップは、ＳＰＦＳ装置に装着された状態で使用される。そこで、ＳＰＦＳ装置について先に説明し、その後に本発明の一実施の形態に係る分析チップについて説明する。
【００１９】
（ＳＰＦＳ装置の構成）
図１は、ＳＰＦＳ装置の一例の構成を示す模式図である。図１に示されるように、ＳＰＦＳ装置１００は、光源１１０、第１光センサー１２０、フィルター１６０および第２光センサー１７０を有する。ＳＰＦＳ装置１００には、本発明の一実施の形態に係る分析チップ１３０が装着されている。
【００２０】
光源１１０は、励起光ｂ１を分析チップ１３０の金属膜１３２に向かって照射する。励起光ｂ１は、金属膜１３２で全反射されて反射光ｂ２となる。光源１１０は、分析チップ１３０内の所定の点を中心に回動可能であり、金属膜１３２に対する励起光ｂ１の入射角θ１を変えることができる。光源１１０の種類は、特に限定されない。光源１１０の例には、ガスレーザー、固体レーザーおよび半導体レーザーが含まれる。たとえば、励起光ｂ１は、波長２００〜１０００ｎｍのガスレーザー光または固体レーザー光、あるいは波長３８５〜８００ｎｍの半導体レーザー光である。
【００２１】
第１光センサー１２０は、分析チップ１３０を挟んで光源１１０の反対側に配置されており、反射光ｂ２を検出する。第１光センサー１２０は、反射光ｂ２を受光するために、励起光ｂ１の入射角θ１に応じて、分析チップ１３０内の所定の点を中心に回動可能である。
【００２２】
フィルター１６０は、分析チップ１３０と第２光センサー１７０との間に配置されている。フィルター１６０は、第２光センサー１７０による蛍光検出の精度および感度の向上に寄与する。フィルター１６０は、例えば、光学フィルターやカットフィルターなどである。光学フィルターの例には、減光（ＮＤ）フィルターやダイアフラムレンズなどが含まれる。カットフィルターは、外光（装置外の照明光）や励起光ｂ１の透過成分、迷光（励起光ｂ１の散乱成分）、プラズモン散乱光（励起光ｂ１を起源とし、分析チップ１３０表面の付着物などの影響で発生する散乱光）、各部材の自家蛍光などのノイズ成分を除去する。カットフィルターの例には、干渉フィルターや色フィルターなどが含まれる。
【００２３】
第２光センサー１７０は、分析チップ１３０から放出され、フィルター１６０を透過した蛍光ｂ３を検出する。第２光センサー１７０は、例えば、超高感度の光電子増倍管や、多点計測が可能なＣＣＤイメージセンサなどである。
【００２４】
（分析チップの構成）
次いで、本発明の一実施の形態に係る分析チップ１３０について説明する。本実施の形態では、分析チップ１３０は、プリズム１３１を有している。
【００２５】
図２および図３は、本発明の一実施の形態に係る分析チップ１３０の構成を示す図である。図２Ａは、分析チップ１３０の斜視図であり、図２Ｂは、長軸方向に沿った分析チップ１３０の断面図である。図３は、短軸方向に沿った分析チップ１３０の断面図である。
【００２６】
図１および図２Ａ，Ｂに示されるように、分析チップ１３０は、プリズム１３１、金属膜１３２、反応部１３３および基体１３４を有する。
【００２７】
プリズム１３１は、励起光ｂ１に対して透明な誘電体からなる。プリズム１３１は、入射面１３５、反射面１３６および出射面１３７を有する。入射面１３５は、光源１１０から出射された励起光ｂ１をプリズム１３１の内部に入射させる。反射面１３６は、プリズム１３１の内部に入射した励起光ｂ１を反射させる。反射面１３６で反射した励起光ｂ１は、反射光ｂ２となる。この後説明するように、反射面１３６には、金属膜１３２が形成されている。出射面１３７は、反射光ｂ２をプリズム１３１の外部に出射させる。プリズム１３１の形状は、特に限定されない。本実施の形態では、プリズム１３１の形状は、台形を底面とする柱体である。この場合、台形の一方の底辺に対応する面が反射面１３６であり、一方の脚に対応する面が入射面１３５であり、他方の脚に対応する面が出射面１３７である。プリズム１３１の材料の例には、樹脂およびガラスが含まれる。プリズム１３１の材料は、屈折率が１.４〜１.６の範囲内であり、かつ複屈折が小さい樹脂であることが好ましい。
【００２８】
金属膜１３２は、プリズム１３１の反射面１３６上に形成されている。金属膜１３２に所定の入射角度で励起光ｂ１を照射することにより、表面プラズモン（粗密波）およびエバネッセント波の共鳴によって電場が増強される。金属膜１３２の材料は、表面プラズモン共鳴を生じさることができれば特に限定されない。金属膜１３２の材料の例には、金、銀、アルミニウム、銅、および白金からなる群から選ばれる少なくとも１種の金属と、これらの金属の合金とが含まれる。特に、金は、酸化されにくく、かつ表面プラズモンによる電場増強が大きくなることから、金属膜１３２の材料に適している。
【００２９】
金属膜１３２の厚さは、特に限定されず、電場増強効果の観点から材料に応じて適宜設定すればよい。たとえば、材料として金、銀、銅または白金を使用した場合には、金属膜１３２の厚さは、５〜５００ｎｍの範囲内が好ましく、２０〜７０ｎｍの範囲内がより好ましい。また、材料としてアルミニウムを使用した場合には、金属膜１３２の厚さは、５〜５００ｎｍの範囲内が好ましく、１０〜５０ｎｍの範囲内がより好ましい。また、材料として上記金属の合金を使用した場合には、金属膜１３２の厚さは、５〜５００ｎｍの範囲内が好ましく、１０〜７０ｎｍの範囲内がより好ましい。金属膜１３２の厚さが上記範囲内であれば、表面プラズモンが発生しやすい。なお、金属膜１３２の大きさ（縦×横）は、特に限定されない。
【００３０】
金属膜１３２の形成方法は、特に限定されない。金属膜１３２の形成方法の例には、スパッタリング法、蒸着法（抵抗加熱蒸着法、電子線蒸着法など）、電解メッキ法、無電解メッキ法などが含まれる。薄膜形成条件の調整の観点からは、スパッタリング法および蒸着法が好ましい。
【００３１】
反応部１３３は、金属膜１３２の２つの面のうち、プリズム１３１が配置されていない面（金属膜１３２の他方の面：表面）上に配置されている。反応部１３３は、被検出物質を捕捉するための１次抗体を含み、被検出物質を捕捉する。１次抗体に捕捉された被検出物質は、蛍光物質で標識された２次抗体により蛍光標識される。このような状況において、反応部１３３は、金属膜１３２に励起光ｂ１が照射されることにより生じる増強された電場により蛍光物質を励起して、蛍光ｂ３を放出させる。
【００３２】
たとえば、反応部１３３は、１次抗体を結合させたＳＡＭ膜（Self-Assembled Monolayer：「自己組織化単分子膜」ともいう）または高分子材料膜である。これらの膜の一方の面には、１次抗体が結合されている。また、これらの膜の他方の面は、直接または間接に金属膜１３２の表面に固定されている。ＳＡＭ膜の例には、ＨＯＯＣ−（ＣＨ２）１１−ＳＨなどの置換脂肪族チオールで形成された膜が含まれる。また、高分子材料の例には、ポリエチレングリコールやＭＰＣポリマーなどが含まれる。
【００３３】
基体１３４は、金属膜１３２の２つの面のうち、プリズム１３１が配置されていない面（金属膜１３２の他方の面；表面）上に、反応部１３３を覆うように配置された略板状の透明部材である。基体１３４の金属膜１３２に対向する面（裏面）には、流路溝１３８が形成されている。基体１３４は、例えば、接着剤による接着や、レーザー溶着、超音波溶着、クランプ部材を用いた圧着などにより金属膜１３２またはプリズム１３１に接合される。本実施の形態では、基体１３４は、金属膜１３２に接合されることにより、金属膜１３２と共に流路を形成する。基体１３４の金属膜１３２に対向する面から反射部１３３が配置されている面までの厚みは、例えば０．１〜１０．０ｍｍ程度である。
【００３４】
基体１３４は、流路溝１３８に加えて、流路溝１３８の一端に形成された円柱状の第１貫通孔１４０と、流路溝１３８の他端に形成された円柱状の第２貫通孔１４１とを有する。流路溝１３８は、開口部が金属膜１３２により閉塞されることで流路となる。また、第１貫通孔１４０および第２貫通孔１４１は、それぞれ、流路への注入口１４３および流路と液溜部１４７との連通口１４４となる。注入口１４３の内面には、弾性体材料で形成された接続部１４５（シール部材）が配置されている。接続部１４５には、ポンプ１４８に繋がったピペット１４６を接続することができる。また、連通口１４４の開口部の周囲には、上面に微細な空気孔を有する液溜部１４７が配置されている。液溜部１４７は、基体１３４に対して着脱可能である。
【００３５】
ピペット１４６は、ポンプ１４８の駆動による内圧の変化に対して変形しない程度の剛性を有していればよい。本実施の形態では、ピペット１４６の材料は、ポリプロピレンである。また、ポンプ１４８は、所定量の液体を吐出または吸引することができる。本実施の形態では、ポンプ１４８は、シリンジポンプである。ポンプ１４８は、ピペット１４６の内部に貯留した被検出物質を含む検体や洗浄液などを含む各種試薬液を流路内に送液する。
【００３６】
検体の種類は、特に限定されない。検体の例には、血液や血清、血漿、尿、鼻孔液、唾液、便、体腔液（髄液、腹水、胸水）、これらの希釈液などが含まれる。また、検体に含まれる被検出物質の例には、核酸（一本鎖もしくは二本鎖のＤＮＡ、ＲＮＡ、ポリヌクレオチド、オリゴヌクレオチド、ＰＮＡ（ペプチド核酸）、ヌクレオシド、ヌクレオチドまたはそれらの修飾分子）、タンパク質（ポリペプチドまたはオリゴペプチド）、アミノ酸（修飾アミノ酸を含む）、糖質（オリゴ糖、多糖類または糖鎖）、脂質、またはこれらの修飾分子、複合体などが含まれる。被検出物質は、具体的には、ＡＦＰ（αフェトプロテイン）などのがん胎児性抗原や、腫瘍マーカー、シグナル伝達物質、ホルモンなどである。
【００３７】
基体１３４の材料には、成形性（転写性、離型性）が良いこと、透明性が高いこと、紫外線および可視光に対する自家蛍光性が低いこと、などが要求される。このため、基体１３４の材料は、透明樹脂が好ましい。基体１３４４２の材料として使用される樹脂の例には、ポリカーボネート、ポリメタクリル酸メチル、ポリスチレン、ポリアクリロニトリル、ポリ塩化ビニル、ポリエチレンテレフタレート、ナイロン６、ナイロン６６、ポリ酢酸ビニル、ポリ塩化ビニリデン、ポリプロピレン、ポリイソプレン、ポリエチレン、ポリジメチルシロキサンおよび環状ポリオレフィンが含まれる。高屈折率の観点からは、ポリカーボネートが好ましい。また、基体１３４の製造方法は、特に限定されないが、製造コストの観点からは金型を用いた射出成形が好ましい。
【００３８】
本実施の形態の分析チップ１３０は、基体１３４の表面（上面）に反射板１４９を有することを一つの特徴とする。反射板１４９は、基体１３４の金属膜１３２に対向する面の反対側の面（表面）に、金属膜１３２に対して略垂直方向に突出するように配置されている。また、反射板１４９は、反応部１３３の中心を通り、かつ金属膜１３２に対して垂直な直線Ｌ（図３参照）の周囲に配置されている。なお、反射板１４９は、直線Ｌを取り囲むように配置されていてもよいし、直線Ｌの周囲の一部のみに配置されていてもよい。本実施の形態では、直線Ｌを挟んで対向するように、一対の平板状の反射板１４９が配置されている。反射板１４９は、反応部１３３から放出され、基体１３４を透過した蛍光ｂ３の一部を第２光センサー１７０（直線Ｌ側）に向けて反射させることができる。
【００３９】
反射板１４９の材料は、特に限定されず、基体１３４の材料と同じであってもよいし、異なっていてもよい。反射板１４９の材料の例は、基体１３４の材料と同じである。空気と反射板１４９との屈折率差を大きくして蛍光ｂ３の反射効率を向上させる観点からは、反射板１４９を構成する材料の屈折率は、１．４〜１．８の範囲内が好ましい。なお、本実施の形態では、反射板１４９は、基体１３４と同じ材料で基体１３４と一体として形成されている。反射板１４９および基体１３４の形成方法は、特に限定されないが、樹脂の射出成形による一体成形により形成することが好ましい。
【００４０】
前述のとおり、本実施の形態では、一対の反射板１４９の形状は、いずれも平板上である。したがって、反射板１４９の内面１５０（直線Ｌ側の面）および外面１５１（内面１５０の反対側の面）は、いずれも平面である。内面１５０および外面１５１の表面粗さＲａは、特に限定されないが、蛍光ｂ３の反射効率を向上させる観点からは０．１〜５００ｎｍの範囲内が好ましい。
【００４１】
反射板１４９の内面１５０および外面１５１は、基体１３４の表面に対して垂直であってもよいし、傾斜していてもよい。本実施の形態では、反射板１４９の内面１５０は、金属膜１２３（基体１３４の上面）から離れるにつれて、直線Ｌから離れるように傾斜している。直線Ｌを含む断面における直線Ｌと内面１５０とのなす角度は、０．５〜１０°の範囲内である。このようにすることで、蛍光ｂ３を第２光センサー１７０に向けて効率よく反射させることができ、結果として蛍光ｂ３の集光効率を高めることができる。
【００４２】
反射板１４９の外面１５１には、蛍光ｂ３を反射するための反射膜が形成されていてもよい。この場合、反射膜は、外面１５１の一部にのみ形成されていてもよいが、通常は外面１５１の全面に形成される。反射膜は、例えば金属膜である。金属膜の材料の例には、Ａｌ、Ｃｒ、Ａｇなどが含まれる。これらの金属は、高い反射率を得ることができるため好ましい。反射膜の形成方法は、特に限定されないが、例えば蒸着法である。
【００４３】
反射板１４９の基体１３４の表面からの高さ（基体１３４の反射板１４９が配置されている面からの反射板１４９の高さ）Ｔと、基体１３４の一方の面（流路溝１３８の部分を除いた裏面）から他方の面（表面）までの厚み（基体１３４の金属膜１３２に対向する面から反射板１４９が配置されている面までの厚み）ｄとの関係は、ｄ≦Ｔ≦１０ｄを満たすことが好ましい。すなわち、反射板１４９の高さＴは、基体１３４の厚みｄの１〜１０倍であることが好ましい。このようにすることで、基体１３４の厚みを薄くすることができ、基体１３４の蛍光ｂ３が透過する面（表面および裏面）を精度良く形成することができる。なお、反射板１４９の高さＴが高すぎると、反射板１４９が他の光学素子（フィルター１６０など）に接触してしまうおそれがあるため、好ましくない。
【００４４】
一方、反射板１４９の厚みをむやみに厚くすると、反射板１４９内に透過してきた蛍光の吸収や散乱などによる消衰を招くことになるため好ましくない。反射板１４９の高さＴと反射板１４９の厚みｄ２との関係は、ｄ２≦Ｔを満たすことが好ましい。また、反射板１４９の厚みは、製造上や取り扱い上で破損を生じない程度に薄くすることが好ましく、具体的には０．１〜５．０ｍｍの範囲内であることが好ましい。特に、反射板１４９の厚みが上記の範囲内であれば、反射板１４９による蛍光の吸収や散乱による蛍光の損失を極力抑えることができる、これにより、反射膜を内面１５０に形成しない場合であっても、反射板１４９の内面１５０による反射機能に加えて、外面１５１を反射面として利用することができる。結果的に、第２光センサー１７０の集光効率を向上させることができる。さらに、外面１５１に反射膜を形成すれば、非常に簡易な構成であるにも関わらず、発生した蛍光をほとんど散逸することなく第２光センサー１７０に集光させることが可能となる。
【００４５】
前述のとおり、本発明に係る分析チップ１３４は、ＳＰＦＳ装置１００に装着されて使用される。本実施の形態のＳＰＦＳ装置１００を用いた分析では、まず、流路に被検出物質を含む可能性がある検体と、蛍光物質で標識された２次抗体を含む試薬液とを順番に送液する。液体の送液は、ポンプ１４８を駆動して行う。反応部１３３に固定されている捕捉体（１次抗体）に被検出物質を確実に結合させるため、また捕捉体に捕捉された被検出物質に２次抗体を確実に結合させるため、ポンプ１４８を駆動して、検体および試薬液をそれぞれ流路内で往復させる。検体および試薬液は、ピペット１４６、流路（流路溝１３８）および液溜部１４７を往復する。なお、検体および試薬液を事前に混合して、被検出物質と２次抗体を予め結合させた状態で、液体を流路に送液してもよい。これにより、被検出物質が蛍光物質で標識される。
【００４６】
次いで、励起光ｂ１が金属膜１３２に対して特定の入射角θ１（図１参照）で入射するように、光源１１０から分析チップ１３０に励起光ｂ１を照射する。これにより、金属膜１３２内に粗密波（表面プラズモン）が生じる。表面プラズモンとエバネッセントが共鳴すると、反射光ｂ２の光量が減少する。よって、第１光センサー１２０において反射光ｂ２を検出することで共鳴角を知ることができる。
【００４７】
そして、この共鳴により増強された電場により、反応部１３３上に捕捉された被検出物質を標識する蛍光物質が効率良く励起され、蛍光ｂ３が放出される。
【００４８】
図３は、分析チップ１３０の短軸方向の断面における蛍光ｂ３の光路図である。なお、図３では、蛍光ｂ３の光路を示すためにハッチングを省略している。
【００４９】
図３に示されるように、蛍光ｂ３は、反応部１３３から各方向に放出され、基体１３４を透過する。金属膜１３２に対して垂直な直線Ｌに対する角度が小さい光線（蛍光ｂ３）は、フィルター１６０を介して第２光センサー１７０に到達する。一方、直線Ｌに対する角度が大きい光線（蛍光ｂ３）は、このままでは第２光センサー１７０に到達することはできない。しかしながら、本実施の形態の分析チップ１３０では、直線Ｌに対する角度が大きい光線（蛍光ｂ３）は、反射板１４９の内面１５０または外面１５１で反射され、フィルター１６０を介して第２光センサー１７０に到達することができる。したがって、ＳＰＦＳ装置１００が集光レンズを有していない場合であっても、効率よく蛍光ｂ３を検出することができる。
【００５０】
以上のように、本実施の形態の分析チップ１３０によれば、反応部１３３から放出された蛍光ｂ３を効率よく検出することができるので、極微量の被検出物質を高感度かつ高精度に検出することができる。また、基体１３４を薄く成形することができるため、分析チップ１３０を高精度かつ低コストで製造することができる。
【００５１】
なお、上記実施の形態では、基体１３４に流路溝１３８が形成された分析チップ１３０について説明したが、分析チップ１３０の構成は特に限定されない。特に図示しないが、基体は、スペーサーおよび基体本体を有していてもよい。この場合、スペーサーは、金属膜１３２の面上に配置され、流路形状の貫通孔を有する。また、基体本体は、スペーサーの金属膜１３２に対向する面の反対側の面上に配置され、第１貫通孔１４０および第２貫通孔１４１を有し、流路溝１３８を有していない。金属膜１３２、スペーサーおよび基体本体は、これらを順番に積層することで、流路を形成する。
【００５２】
また、上記実施の形態では、板状の反射板１４９を有する分析チップ１３０について説明したが、反射板１４９の形状は特に限定されない。たとえば、図４Ａ，Ｂに示されるように、反射板１４９の内面１５０は、直線Ｌに対する凹面であってもよい。この場合、反射板１４９の外面１５１は、直線Ｌに対する凹面であってもよいし（図４Ａ参照）、平面であってもよい（図４Ｂ参照）。このように、反射板１４９の内面１５０を直線Ｌに対する凹面（湾曲面）とすることで、蛍光ｂ３の集光効率をさらに高めることができる。
【００５３】
さらに、図４Ｃ，Ｄに示されるように、反射板１４９は、平面視したときに、反応部１３３を囲むように配置されていてもよい。この場合、反射板１４９の平面視形状は、円形であってもよし（図４Ｃ参照）、矩形であってもよい（図４Ｄ参照）。このように、反射板１４９の平面視形状が反応部１３３を囲むように配置されている場合、図４Ａ，Ｂに示したように反射板１４９が分割して配置されている場合と比較して、蛍光ｂ３の集光効率をさらに高めることができる。
【産業上の利用可能性】
【００５４】
本発明の分析チップは、被検出物質を高い信頼性で測定することができるため、例えば臨床検査などに有用である。
【符号の説明】
【００５５】
１００  ＳＰＦＳ装置
１１０  光源
１２０  第１光センサー
１３０  分析チップ
１３１  プリズム
１３２  金属膜
１３３  反応部
１３４  基体
１３５  入射面
１３６  反射面
１３７  出射面
１３８  流路溝
１４０  第１貫通孔
１４１  第２貫通孔
１４３  注入口
１４４  連通口
１４５  接続部
１４６  ピペット
１４７  液溜部
１４８  ポンプ
１４９  反射板
１５０  内面
１５１  外面
１６０  フィルター
１７０  第２光センサー
ｂ１  励起光
ｂ２  反射光
ｂ３  蛍光
Ｌ  直線
【図１】
2015045567.tif 000003
【図２】
2015045567.tif 000004
【図３】
2015045567.tif 000005
【図４】
2015045567.tif 000006